(57)【要約】【課題】  ドレンアップキットにおけるドレン収容部内に抗菌剤を配設することにより、ドレンに対する静菌効果を発揮させ得るようにする。【解決手段】  ドレンＤが収容される所定容積のドレン収容部１と、該ドレン収容部１に収容されたドレンＤを排出するドレン排出用のポンプ装置２とを具備したドレンアップキットにおいて、前記ドレン収容部１に、前記ドレンＤに対して静菌効果を発揮する抗菌剤１４を配設して、ドレン収容部１内に貯留されたドレンＤ中の細菌の繁殖が、抗菌剤１４の静菌効果により抑制されるようにしている。【選択図】        図１
2006162222.tif 000002
【特許請求の範囲】
【請求項１】
空気調和機の室内機（Ｘ）からのドレン配管（Ｙ）の途中に付設され、該室内機（Ｘ）において生ずるドレン（Ｄ）が収容される所定容積のドレン収容部（１）と、該ドレン収容部（１）に収容されたドレン（Ｄ）を排出するドレン排出用のポンプ装置（２）とを具備したドレンアップキットであって、前記ドレン収容部（１）には、前記ドレン（Ｄ）に対して静菌効果を発揮する抗菌剤（１４）を配設したことを特徴とするドレンアップキット。
【請求項２】
前記抗菌剤（１４）を、前記ドレン収容部（１）に収容されるドレン（Ｄ）が最大水位（Ｌｍａｘ）にあるとき全体がドレン（Ｄ）に浸漬し得る状態で配設したことを特徴とする請求項１記載のドレンアップキット。
【請求項３】
前記抗菌剤（１４）を、前記ドレン収容部（１）に収容されるドレン（Ｄ）が最大水位（Ｌｍａｘ）にあるとき一部がドレン（Ｄ）に浸漬しない状態で配設したことを特徴とする請求項１記載のドレンアップキット。
【請求項４】
前記抗菌剤（１４）を、前記ポンプ装置（２）の吸込口（８）から最も遠い位置までの距離の中間位置より反吸込口側に配置したことを特徴とする請求項１、２および３のいずれか一項記載のドレンアップキット。
【請求項５】
前記抗菌剤（１４）の配置位置を、前記ドレン収容部（１）内のドレン（Ｄ）が排出されていない状態で必要最低抗菌剤濃度を確保するに必要十分な抗菌剤の量と前記ドレン収容部（１）内のドレン（Ｄ）が排出されている状態で必要最低抗菌剤濃度を確保するに必要十分な抗菌剤の量とが一致する位置に設定したことを特徴とする請求項４記載のドレンアップキット。
【請求項６】
前記ドレン（Ｄ）の侵入が可能な保持容器（１５）内に粒状あるいはペレット状の多数の抗菌剤（１４），（１４）・・を収容した抗菌剤ユニット（Ｋ）を用いたことを特徴とする請求項１、２、３、４および５のいずれか一項記載のドレンアップキット。
【請求項７】
水溶性の保持材（１７）に粒状あるいはペレット状の多数の抗菌剤（１４），（１４）・・を混入した抗菌剤ユニット（Ｋ）を用いたことを特徴とする請求項１、２、３、４および５のいずれか一項記載のドレンアップキット。
【発明の詳細な説明】
【技術分野】
【０００１】
本願発明は、空気調和機の室内機からのドレン配管の途中に付設されて、ドレンの排出に要する揚程を確保するために用いられるドレンアップキットに関し、さらに詳しくはドレン収容部内の静菌効果（換言すれば、細菌の繁殖抑制効果）を最大限に発揮できるようにしたドレンアップキットに関するものである。
【背景技術】
【０００２】
一般の空気調和機の室内機は、熱交換器および送風機を備え、前記熱交換器の下方には、ドレンを受け止めるドレンパンを設けて構成されており、該トレンパン内に溜まるドレンは、自然流出方式あるいはドレンパンに付設されたドレンポンプによるポンプアップ方式にて排出されることとなっている。
【０００３】
ところが、室内機の設置場所によっては、上記方式だけではドレンパンからのドレンの排出が困難な場合が生ずる。例えば、天井埋込式あるいは天井吊り下げ式の室内機の場合、ドレン排出用のドレン配管を天井裏を経由して屋外へ排出するのが通例であるが、天井裏には種々の構造物が存在しており、該構造物を乗り越えてドレン配管を敷設する必要があり、ドレンパンに付設されたドレンポンプの揚程だけでは揚程不足となり、ドレンの排出が困難になる場合がある。また、自然流出方式を採用しようとしても、室内機の設置場所が、建造物の外壁から離れた場所であると、自然流出方式を採用できない場合がある。
【０００４】
上記不具合に対処するために、空気調和機の室内機からのドレン配管の途中に付設されて、ドレンの排出に要する揚程を確保するために用いられるドレンアップキットが採用されることが多くなっている。
【０００５】
上記したドレンアップキットＺは、図２１に示すように、空気調和機の室内機Ｘからのドレン配管Ｙの途中に付設されるものであり、該室内機Ｘにおいて生ずるドレンが収容される所定容積のドレン収容部と、該ドレン収容部に収容されたドレンを排出するドレン排出用のポンプ装置とを具備して構成されている。符号Ｆは天井である。この場合にも、ドレン収容部に収容されるドレンには細菌が繁殖することが多い。
【０００６】
空気調和機の室内機におけるドレンパンに抗菌剤を入れてドレンに浸漬させて細菌の発生を防止する技術は公知である（特許文献１参照）。
【０００７】
【特許文献１】特開２０００−７４４０９。
【発明の開示】
【発明が解決しようとする課題】
【０００８】
前述したように、ドレンアップキットにおけるドレン収容部に収容されているドレンにも細菌が繁殖することが多く、ドレンに細菌が繁殖すると、スライムが生成され、異臭、ドレン配管の詰まり、ポンプ装置の作動不良等を発生させるという不具合が生ずる。ところが、ドレンアップキットにおけるドレン収容部に収容されているドレンに対する静菌効果を発揮する抗菌剤については、未だ開発されていないのが現状である。
【０００９】
本願発明は、上記の点に鑑みてなされたもので、ドレン収容部内に抗菌剤を配設することにより、ドレンに対する静菌効果を発揮させ得るようにすることを目的としている。
【課題を解決するための手段】
【００１０】
本願発明では、上記課題を解決するための第１の手段として、空気調和機の室内機Ｘからのドレン配管Ｙの途中に付設され、該室内機Ｘにおいて生ずるドレンＤが収容される所定容積のドレン収容部１と、該ドレン収容部１に収容されたドレンＤを排出するドレン排出用のポンプ装置２とを具備したドレンアップキットにおいて、前記ドレン収容部１に、前記ドレンＤに対して静菌効果を発揮する抗菌剤１４を配設している。
【００１１】
上記のように構成したことにより、空気調和機の室内機Ｘからドレン配管Ｙを介して排出されたドレンＤがドレンアップキットにおけるドレン収容部１に流入して、ポンプ装置２が作動するまでの間一時的に貯留されるが、貯留されたドレンＤ中の細菌の繁殖が、抗菌剤１４の静菌効果により抑制されることとなる。その結果、ドレンＤ中にスライムが生成されることが抑制され、長期間に亙ってドレン排出が可能となる。
【００１２】
本願発明では、さらに、上記課題を解決するための第２の手段として、上記第１の手段を備えたドレンアップキットにおいて、前記抗菌剤１４を、前記ドレン収容部１に収容されるドレンＤが最大水位Ｌｍａｘにあるとき全体がドレンＤに浸漬し得る状態で配設することもでき、そのように構成した場合、ドレン収容部１におけるドレン収容量が増加して水位が上昇すると、ドレンＤに浸漬している抗菌剤１４の量が増加するし、反対に、ドレン収容部１におけるドレン収容量が減少して水位が低下すると、ドレンＤに浸漬している抗菌剤１４の量が減少することとなり、ドレンＤの収容量が変化しても、ドレンＤ中における抗菌剤１４の濃度を常に一定に保つことができる。
【００１３】
本願発明では、さらに、上記課題を解決するための第３の手段として、上記第１の手段を備えたドレンアップキットにおいて、前記抗菌剤１４を、前記ドレン収容部１に収容されるドレンＤが最大水位Ｌｍａｘにあるとき一部がドレンＤに浸漬しない状態で配設することもでき、そのように構成した場合、ドレンＤに浸漬している下端側の抗菌剤１４がドレンＤ内に溶解・溶出していくことにより次第に減少しても、それに応じてドレンＤの実際の水位よりも上方側にあって、未だ溶解・溶出していない新しい抗菌剤部分が上方から下方に移動して順次供給されることとなり、ドレン水位に応じた消耗量を考慮して、最大水位Ｌｍａｘより上方に突出していて、ドレンＤに浸漬されていない部分の寸法を適切に設定しておくと、所望の長期間に亙って一定の抗菌剤濃度での使用が可能となるし、抗菌剤１４の構成のみで対応できるところから、簡単な構成で、低コストとなる。
【００１４】
本願発明では、さらに、上記課題を解決するための第４の手段として、上記第１、第２又は第３の手段を備えたドレンアップキットにおいて、前記抗菌剤１４を、前記ポンプ装置２の吸込口８から最も遠い位置までの距離の中間位置より反吸込口側に配置することもでき、そのように構成した場合、ドレンＤが滞留している静止ドレン中においても、ドレンＤが流動している流水ドレン中においても、ドレン収容部１内全域に亙って、小量の抗菌剤量で最低抗菌剤濃度を確保できることとなり、ドレン収容部１全域において十分な静菌効果を発揮できることとなり、スライムの発生が効果的に抑制される。ちなみに、抗菌剤１４の設置位置より最も離れる位置で必要抗菌剤最低濃度を確保した場合の抗菌剤の設置位置と必要抗菌剤量との関係を、静止ドレン中と流水ドレン中とにおいて調べたところ、図９に示す結果が得られた。これによれば、ドレン収容部における排水位置から最も遠い位置までの距離の中間位置Ｐ1より反排水側に抗菌剤１４を配設するのが必要抗菌剤量を小さく抑えつつ、十分な静菌効果を得る上で好ましいことが分かる。
【００１５】
本願発明では、さらに、上記課題を解決するための第５の手段として、上記第４の手段を備えたドレンアップキットにおいて、前記抗菌剤１４の配置位置を、前記ドレン収容部１内のドレンＤが排出されていない状態で必要最低抗菌剤濃度を確保するに必要十分な抗菌剤の量と前記ドレン収容部１内のドレンＤが排出されている状態で必要最低抗菌剤濃度を確保するに必要十分な抗菌剤の量とが一致する位置に設定することもでき、そのように構成した場合、必要抗菌剤量を最小としつつ十分な静菌効果を得ることができる。
【００１６】
本願発明では、さらに、上記課題を解決するための第６の手段として、上記第１、第２、第３、第４又は第５の手段を備えたドレンアップキットにおいて、前記ドレンＤの侵入が可能な保持容器１５内に、粒状あるいはペレット状の多数の抗菌剤１４，１４・・を収容した抗菌剤ユニットＫを用いることもでき、そのように構成した場合、粒状あるいはペレット状の抗菌剤１４，１４・・が保持容器１５を介して侵入したドレンＤに溶解・溶出することとなり、有効な静菌効果を発揮するし、抗菌剤１４の消耗量に応じて、上方側から下方側へ抗菌剤１４が重力でスムーズに移動する。
【００１７】
本願発明では、さらに、上記課題を解決するための第７の手段として、上記第１、第２、第３、第４又は第５の手段を備えたドレンアップキットにおいて、水溶性の保持材１７に粒状あるいはペレット状の多数の抗菌剤１４，１４・・を混入した抗菌剤ユニットＫを用いることもでき、そのように構成した場合、粒状あるいはペレット状の抗菌剤１４，１４・・が保持材１７の溶解に伴って外部へ溶解・溶出されて有効な静菌作用をなすし、その消耗量に応じて、抗菌剤１４，１４・・が重力でドレンＤ中にスムーズに沈降して行くので、常に安定した濃度の静菌効果が維持できる。
【発明の効果】
【００１８】
本願発明の第１の手段によれば、空気調和機の室内機Ｘからのドレン配管Ｙの途中に付設され、該室内機Ｘにおいて生ずるドレンＤが収容される所定容積のドレン収容部１と、該ドレン収容部１に収容されたドレンＤを排出するドレン排出用のポンプ装置２とを具備したドレンアップキットにおいて、前記ドレン収容部１に、前記ドレンＤに対して静菌効果を発揮する抗菌剤１４を配設して、空気調和機の室内機Ｘからドレン配管Ｙを介して排出されたドレンＤがドレンアップキットにおけるドレン収容部１に流入して、ポンプ装置２が作動するまでの間一時的に貯留されるが、貯留されたドレンＤ中の細菌の繁殖が、抗菌剤１４の静菌効果により抑制されるようにしたので、ドレンＤ中にスライムが生成されることが抑制され、長期間に亙ってドレン排出が可能となるという効果がある。
【００１９】
本願発明の第２の手段におけるように、上記第１の手段を備えたドレンアップキットにおいて、前記抗菌剤１４を、前記ドレン収容部１に収容されるドレンＤが最大水位Ｌｍａｘにあるとき全体がドレンしに浸漬し得る状態で配設することもでき、そのように構成した場合、ドレン収容部１におけるドレン収容量が増加して水位が上昇すると、ドレンＤに浸漬している抗菌剤１４の量が増加するし、反対に、ドレン収容部１におけるドレン収容量が減少して水位が低下すると、ドレンＤに浸漬している抗菌剤１４の量が減少することとなり、ドレンＤの収容量が変化しても、ドレンＤ中における抗菌剤１４の濃度を常に一定に保つことができる。
【００２０】
本願発明の第３の手段におけるように、上記第１の手段を備えたドレンアップキットにおいて、前記抗菌剤１４を、前記ドレン収容部１に収容されるドレンＤが最大水位Ｌｍａｘにあるとき一部がドレンＤに浸漬しない状態で配設することもでき、そのように構成した場合、ドレンＤに浸漬している下端側の抗菌剤１４がドレンＤ内に溶解・溶出していくことにより次第に減少しても、それに応じてドレンＤの実際の水位よりも上方側にあって、未だ溶解・溶出していない新しい抗菌剤部分が上方から下方に移動して順次供給されることとなり、ドレン水位に応じた消耗量を考慮して、最大水位Ｌｍａｘより上方に突出していて、ドレンＤに浸漬されていない部分の寸法を適切に設定しておくと、所望の長期間に亙って一定の抗菌剤濃度での使用が可能となるし、抗菌剤１４の構成のみで対応できるところから、簡単な構成で、低コストとなる。
【００２１】
本願発明の第４の手段におけるように、上記第１、第２又は第３の手段を備えたドレンアップキットにおいて、前記抗菌剤１４を、前記ポンプ装置２の吸込口８から最も遠い位置までの距離の中間位置より反吸込口側に配置することもでき、そのように構成した場合、ドレンＤが滞留している静止ドレン中においても、ドレンＤが流動している流水ドレン中においても、ドレン収容部１内全域に亙って、小量の抗菌剤量で最低抗菌剤濃度を確保できることとなり、ドレン収容部１全域において十分な静菌効果を発揮できることとなり、スライムの発生が効果的に抑制される。ちなみに、抗菌剤１４の設置位置より最も離れる位置で必要抗菌剤最低濃度を確保した場合の抗菌剤１４の設置位置と必要抗菌剤量との関係を、静止ドレン中と流水ドレン中とにおいて調べたところ、図９に示す結果が得られた。これによれば、ドレン収容部１における排水位置から最も遠い位置までの距離の中間位置Ｐ1より反排水側に抗菌剤１４を配設するのが必要抗菌剤量を小さく抑えつつ、十分な静菌効果を得る上で好ましいことが分かる。
【００２２】
本願発明の第５の手段におけるように、上記第４の手段を備えたドレンアップキットにおいて、前記抗菌剤１４の配置位置を、前記ドレン収容部１内のドレンＤが排出されていない状態で必要最低抗菌剤濃度を確保するに必要十分な抗菌剤の量と前記ドレン収容部１内のドレンＤが排出されている状態で必要最低抗菌剤濃度を確保するに必要十分な抗菌剤の量とが一致する位置に設定することもでき、そのように構成した場合、必要抗菌剤量を最小としつつ十分な静菌効果を得ることができる。
【００２３】
本願発明の第６の手段におけるように、上記第１、第２、第３、第４又は第５の手段を備えたドレンアップキットにおいて、前記ドレンＤの侵入が可能な保持容器１５内に、粒状あるいはペレット状の多数の抗菌剤１４，１４・・を収容した抗菌剤ユニットＫを用いることもでき、そのように構成した場合、粒状あるいはペレット状の抗菌剤１４，１４・・が保持容器１５を介して侵入したドレンＤに溶解・溶出することとなり、有効な静菌効果を発揮するし、抗菌剤１４の消耗量に応じて、上方側から下方側へ抗菌剤１４が重力でスムーズに移動する。
【００２４】
本願発明の第７の手段として、上記第１、第２、第３、第４又は第５の手段を備えたドレンアップキットにおいて、水溶性の保持材１７に粒状あるいはペレット状の多数の抗菌剤１４，１４・・を混入した抗菌剤ユニットＫを用いることもでき、そのように構成した場合、粒状あるいはペレット状の抗菌剤１４，１４・・が保持材１７の溶解に伴って外部へ溶解・溶出されて有効な静菌作用をなすし、その消耗量に応じて、抗菌剤１４，１４・・が重力でドレンＤ中にスムーズに沈降して行くので、常に安定した濃度の静菌効果が維持できる。
【発明を実施するための最良の形態】
【００２５】
以下、添付の図面を参照して、本願発明の幾つかの好適な実施の形態について説明する。
【００２６】
図１および図２には、本願発明の第１の実施の形態にかかるドレンアップキットが示されている。
【００２７】
このドレンアップキットＺは、前述した同様に、空気調和機の室内機Ｘからのドレン配管Ｙの途中に付設されるものであり（図２１参照）、図１および図２に示すように、前記室内機において生ずるドレンＤが収容される所定容積のドレン収容部１と、該ドレン収容部１に収容されたドレンＤを排出するドレン排出用のポンプ装置２とを具備して構成されている。
【００２８】
前記ドレン収容部１は、略直方体形状とされており、その内部一側には、前記ポンプ装置２を構成するポンプケース３が配設されている。
【００２９】
前記ポンプ装置２は、前記ポンプケース３内に配設されたポンプインペラ４と、該ポンプインペラ４の回転軸４ａに連結されたモータ５とを備えて構成されており、該モータ５は、前記ドレン収容部１の上面１ａに設けられたモータケース６により覆蓋されている。従って、前記回転軸４ａは、ドレン収容部１の上面１ａを貫通してモータケース６内に突出せしめられる。
【００３０】
また、前記モータ５の回転軸５ａには、冷却ファン７が連結されている。前記ポンプケース３の底部３ａには、前記ポンプインペラ４と対向する位置に吸込口８が形成されている。符号９はポンプ装置２の吐出口、１０はモータケース６に形成された空気吸込口である。
【００３１】
さらに、前記ドレン収容部１内には、ドレンＤの水位に対応して前記モータ５の発停制御を行うフロートスイッチ１１が設けられている。該フロートスイッチ１１は、最大水位Ｌｍａｘを検知したときモータ５を駆動開始し、最低水位Ｌｍｉｎを検知したときモータ５の駆動を停止するように作用する。符号１２はドレン収容部１の上面１ａに形成された凹部であり、フロートスイッチ１１が最大水位Ｌｍａｘを検知するときにフロートスイッチ１１とドレン収容部上面１ａとの干渉を回避するために形成されている。
【００３２】
さらにまた、前記ドレン収容部１の上面１ａにおける３個の角部Ｓ1，Ｓ2，Ｓ3には、前記室内機Ｘからのドレン配管Ｙを接続するための３個の接続口１３，１３，１３が形成されている。
【００３３】
そして、前記ドレン収容部１内には、前記ドレンＤに対して静菌効果を発揮する抗菌剤１４が配設されている。
【００３４】
前記抗菌剤１４は、前記ポンプ装置２の吸込口８から最も遠い位置となる部位（即ち、接続口１３，１３，１３が形成されていない角部Ｓ4）に配設されている。なお、抗菌剤１４を、前記ポンプ装置２の吸込口８から最も遠い位置までの距離の中間位置より反吸込口側に配置することもできる。
【００３５】
前記抗菌剤１４は、前記ドレン収容部１に収容されるドレンＤが最大水位Ｌｍａｘにあるとき全体がドレンＤに浸漬し得る状態で配設されている。
【００３６】
上記のように構成したことにより、空気調和機の室内機Ｘからドレン配管Ｙを介して排出されたドレンＤがドレンアップキットＺにおけるドレン収容部１に流入して、ポンプ装置２が作動するまでの間一時的に貯留されるが、貯留されたドレンＤ中の細菌の繁殖が、抗菌剤１４の静菌効果により抑制されることとなる。その結果、ドレンＤ中にスライムが生成されることが抑制され、長期間に亙ってドレン排出が可能となる。
【００３７】
しかも、前記抗菌剤１４を、前記ドレン収容部１に収容されるドレンＤが最大水位Ｌｍａｘにあるとき全体がドレンＤに浸漬し得る状態で配設することとなっているところから、ドレン収容部１におけるドレン収容量が増加して水位が上昇すると、ドレンＤに浸漬している抗菌剤１４の量が増加するし、反対に、ドレン収容部１におけるドレン収容量が減少して水位が低下すると、ドレンＤに浸漬している抗菌剤１４の量が減少することとなり、ドレンＤの収容量が変化しても、ドレンＤ中における抗菌剤１４の濃度を常に一定に保つことができる。
【００３８】
前記抗菌剤１４は、前記ポンプ装置２の吸込口８から最も遠い位置に配置されているので、ドレンＤが滞留している静止ドレン中においても、ドレンＤが流動している流水ドレン中においても、ドレン収容部１内全域に亙って、小量の抗菌剤量で最低抗菌剤濃度を確保できることとなり、ドレン収容部１全域において十分な静菌効果を発揮できることとなり、スライムの発生が効果的に抑制される。
【００３９】
ところで、抗菌剤１４には、使用する抗菌剤の種類によって異なるが、静菌効果を発揮する必要最低濃度が存在する。この必要最低濃度以上であれば、十分な静菌効果を発揮するが、濃度を高くし過ぎると、抗菌剤１４が多く必要となり、抗菌剤１４を無駄に消費することとなる。通常は、使用条件範囲内において最悪条件（例えば、抗菌剤１４の溶出濃度が最も低くなる条件）においても上記必要最低濃度を確保でき且つ耐用年数間に亙って静菌効果を発揮できることを前提として、抗菌剤浸漬量を決定することとなっている。
【００４０】
さらに、ドレンＤは、ポンプ装置２の作動中においてはドレン収容部１内で吸込口８側に向かって流れているが、運転停止中においてはドレン収容部１内に滞留している。このため、抗菌剤１４の溶出特性はドレンＤの状態によって変化する。従って、上記溶出特性を把握した上で必要抗菌剤の量を決定しなければ、抗菌剤１４を無駄に消費することとなってしまう。
【００４１】
以下、上記溶出特性について詳述する。抗菌剤１４を反排水側に設置した場合の溶出特性は、静止ドレン中（即ち、ドレン非排出中）の場合においては図３に示す通りであり、流水ドレン中（即ち、ドレン排出中）の場合においては図４に示す通りである。ここで、図３および図４において、直線Ａは抗菌剤浸漬量が少ない場合を示し、直線Ｂは抗菌剤浸漬量がＷ1およびＷ2の場合を示し、直線Ｃは抗菌剤浸漬量が多い場合を示している。
【００４２】
上記結果によれば、図３に示すように、静止ドレン中では、排水側の抗菌剤濃度を確保するための抗菌剤量が必要となるため、反排水側では抗菌剤濃度が必要以上に高くなってしまうし、流水ドレン中では、ドレンＤの流れが反排水側から排水側に向かうので抗菌剤濃度の変化は非常に少なく、図４に示すように、排水側の抗菌剤最低濃度を確保しても反排水側の抗菌剤濃度はあまり高くならない。
【００４３】
一方、抗菌剤１４を排水側に設置した場合の溶出特性は、静止ドレン中の場合においては図５に示す通りであり、流水ドレン中の場合においては図６に示す通りである。ここで、図５および図６において、直線Ａは抗菌剤浸漬量が少ない場合を示し、直線Ｂは抗菌剤浸漬量がＷ1およびＷ2の場合を示し、直線Ｃは抗菌剤浸漬量が多い場合を示している。
【００４４】
上記結果によれば、図５に示すように、静止ドレン中では、抗菌剤濃度は、図３と反対になり、排水側では抗菌剤濃度が必要以上に高くなってしまうし、流水ドレン中では、ドレンの流れが反排水側から排水側に向かうので反排水側の抗菌剤濃度を確保するためには、流れに逆らった濃度拡散が必要となるところから、図６に示すように、多量の抗菌剤１４が必要となり、結果として排水側の抗菌剤濃度が非常に高くなってしまう。
【００４５】
次に、抗菌剤１４を反排水側と排水側との中間位置に設置した場合の溶出特性は、静止ドレン中の場合においては図７に示す通りであり、流水ドレン中の場合においては図８に示す通りである。ここで、図７および図８において、曲線Ａは抗菌剤浸漬量が少ない場合を示し、曲線Ｂは抗菌剤浸漬量がＷ1およびＷ2の場合を示し、曲線Ｃは抗菌剤浸漬量が多い場合を示している。
【００４６】
上記結果によれば、図７に示すように、静止ドレン中では、排水側と反排水側の抗菌剤濃度は等しくなり、両者の中間位置で最大となるし、流水ドレン中では、ドレンの流れが反排水側から排水側に向かうので、図８に示すように、排水側は、図４と同様にほとんど濃度変化はないが、反排水側は、図５と同様に抗菌剤濃度を確保するための抗菌剤が多量に必要となるところから、結果的には反排水側の抗菌剤濃度を確保すれば、中央部と排水側の抗菌剤濃度が非常に高くなってしまう。
【００４７】
以上のように、抗菌剤１４の設置位置とドレンの状態（即ち、静止ドレンか流水ドレンか）により必要な抗菌剤１４の量が異なるため、抗菌剤１４の設置位置によっては抗菌剤１４を無駄に消費することとなるという不具合が生ずる。
【００４８】
しかしながら、抗菌剤１４の設置位置より最も離れる位置で必要抗菌剤最低濃度を確保した場合の抗菌剤１４の設置位置と必要抗菌剤量との関係を、静止ドレン中と流水ドレン中とにおいて調べたところ、図９に示す結果が得られた。図９において、折れ線Ｘは静止ドレン中の場合を示し、直線Ｙは流水ドレン中の場合を示し、折れ線Ｚは、抗菌剤１４の設置位置より最も離れる位置で必要抗菌剤最低濃度を確保できる必要抗菌剤量を示している。これによれば、ポンプ装置２における吸込口８から最も遠い位置（即ち、反排水位置）までの距離の中間位置Ｐ1より反吸込口側に抗菌剤１４を配設するのが必要抗菌剤量を小さく抑えつつ、十分な静菌効果を得る上で好ましいことが分かる。
【００４９】
また、図９の結果から考察すると、前記抗菌剤１４の配設位置を、前記ドレン収容部１内のドレンＤが排出されていない状態で必要最低抗菌剤濃度を確保するに必要十分な抗菌剤１４の量と前記ドレン収容部１内のドレンＤが排出されている状態で必要最低抗菌剤濃度を確保するに必要十分な抗菌剤１４の量とが一致する位置（即ち、折れ線Ｘと直線Ｙとん交差する位置）Ｐに設定するのが、必要抗菌剤量を最小としつつ十分な静菌効果を得るために望ましいことが分かる。
【００５０】
ところで、上記抗菌剤１４は、例えば図１０（イ）の正面図、（ロ）の内部拡大図および図１１（イ）の平面図、（ロ）の内部拡大図に示すように、多数の開孔部１６，１６・・を有する円筒形状の保持容器１５内に粒状またはペレット状の多数の抗菌剤１４，１４・・を収容してなる抗菌剤ユニットＫとして配置されたり、例えば図１２（イ）の正面図、（ロ）の内部拡大図および図１３（イ）の平面図、（ロ）の内部拡大図に示すように、多数の開孔部１６，１６・・を有するシート形状の保持容器１５内に粒状またはペレット状の多数の抗菌剤１４，１４・・を収容してなる抗菌剤ユニットＫとして配置されたりする。なお、図１３（ハ）の内部拡大図に示すように、保持容器１５を外周部を溶着した網状部材で構成する場合もある。これらの場合、開孔部１６の大きさは、抗菌剤１４の粒子径あるいはペレット径より小さくされている。なお、保持容器１５の形状は、上記以外の形状（例えば、多角形筒形状あるいは楕円筒形状）でもよく、その壁面は、網、多孔質、不織布、パンチングプレート等のように開孔部（明確な開口部がなくとも水の出入りが可能であればよい）をもつものであればなんでも良い。また、開孔部の形状はなんでもよい。また、保持容器１５の材質は、金属、合成樹脂、布等のように水に対して大局的に不溶性のものであれば良い。さらに、保持容器１５は、自立性（即ち、容器自体で形状を保持できるもの）があってもなくても（例えば、袋のように容器自体で形状を保てないもの）良い。また、抗菌剤１４の例としては、殺菌効果の高い金属材料を樹脂に混入したものよりなっており、前記ドレン収容部１内のドレンＤの量に応じて、溶解し、保持容器１５の開孔部１６，１６・・より外部へ溶出してゆき、ドレンＤ中の細菌の増殖を抑制する。
【００５１】
また、図１４（イ）の正面図、（ロ）の内部拡大図および図１５（イ）の平面図、（ロ）の内部拡大図に示すように、水溶性の合成樹脂等の材料からなる保持材１７に抗菌剤１４，１４・・を練り込んで構成された抗菌剤ユニットＫとして配置する場合もある。この場合、保持材１７の形状は、円柱形状、多角形柱形状、楕円柱形状、シート形状等のいずれでもよい。
【００５２】
さらにまた、ドレン収容部１の内面に形成された合成樹脂等からなる被覆層内に抗菌剤を練り込む場合もある。
【００５３】
次に、上記した抗菌剤ユニットＫの取付態様について説明する。
【００５４】
例えば、図１に示すように、ドレン収容部１の上面１ａにネジ穴１８を形成し、該ネジ穴１８に対して螺着される取付具１９を介して抗菌剤ユニットＫを着脱可能に取り付けるようにしてもよい。この場合、取付具１９は、前記抗菌剤ユニットＫに取り付けられる吊り下げ具１９ａと、該吊り下げ具１９ａの上端が接合され且つ前記ネジ穴１８に対して螺着脱自在とされた取付ネジ１９ｂとによって構成されている。このようにすると、取付具１９の螺着脱により、容易に抗菌剤ユニットＫの着脱が行えることとなる。
【００５５】
第２の実施の形態
図１６および図１７には、本願発明の第２の実施の形態にかかるドレンアップキットが示されている。
【００５６】
この場合、抗菌剤１４（具体的には、抗菌剤ユニットＫ）は、ドレン収容部１に収容されるドレンＤが最大水位Ｌｍａｘにあるとき一部がドレンＤに浸漬しない状態で配設されている。
【００５７】
ところで、抗菌剤１４には、有効な静菌効果を発揮させるに必要な最小濃度が存在する。この最小濃度は、使用する抗菌剤１４の種類によって異なる。そこで、通常、図１８に示すように、使用条件の範囲内の最悪条件（抗菌剤の溶出濃度が最も低くなる条件）下で、この最小濃度を確保し、なおかつ使用年数（Ｎ年）間で安定して有効な静菌効果を発揮できることを前提に、初期抗菌剤量（浸漬量）を決定する。
【００５８】
このようして決定した初期抗菌剤量を、従来（図１９）のように、ドレンＤ中に全没状態で浸漬して使用すると、最悪状態の下でも、それ以外の条件の下でも、有効に静菌効果は発揮されるが、最悪条件以外の条件下では、抗菌剤１４の濃度が必要以上に高くなるため、抗菌剤１４を無駄に消費することとなる。
【００５９】
ところが、本実施の形態においては、上述したように、抗菌剤１４（具体的には、抗菌剤ユニットＫ）は、ドレン収容部１に収容されるドレンＤが最大水位Ｌｍａｘにあるとき一部がドレンＤに浸漬しない状態で配設されている。
【００６０】
このような構成とすると、例えば図１６の初期状態にある抗菌剤ユニットＫにおける下端側のドレンＤ中に浸漬している抗菌剤１４，１４・・が、ドレンＤ中に溶解・溶出して行くことにより次第に減少しても、それに応じて図１７に示すように、ドレンＤの実際の水位よりも上方側にあって、全く溶解・溶出していない新しい抗菌剤１４，１４・・部分が下方側に次第に下降して順次補給されて行く。
【００６１】
従って、ドレンＤの水位に応じた抗菌剤１４の消耗量を考慮して、最大水位Ｌｍａｘよりも上方に突出している部分の高さＨを使用年数に応じて適切に設定しておくと、図１７に示すように、最上部の抗菌剤１４が消耗してしまうまで、所望の長期間に亙って連続使用が可能となる。しかも、抗菌剤１４の構成のみで対応できるところから、簡単な構成で、低コストとなる。
【００６２】
今、以上のような設置状態における抗菌剤１４の使用年数（時間）Ｎと濃度の関係を示すと、図２０のようになる。即ち、この場合にも、使用年数とともに抗菌剤１４は消耗するが、従来（図１８）と異なり、浸漬量が一定となるので、抗菌剤濃度は変わらない。従って、例えば静菌効果をＮ年間維持させるとすると、必要な抗菌剤１４の初期量は、Ｎ年間必要最低濃度を確保することができる抗菌剤量で足り、同じＮ年間が消耗される抗菌剤１４の量は、従来よりも相当に減少することとなる。
【００６３】
その他の構成および作用効果は、第１の実施の形態におけると同様なので説明を省略する。
【００６４】
ところで、抗菌剤としては、銀（Ａｇ）、銅（Ｃｕ）、亜鉛（Ｚｎ）、錫（Ｓｎ）などの無機化合物を主体とする無機系抗菌剤、さらにパラクロロメタキシレノールおよび２−５−ジクロロ−４−ブロモフェノールなどのフェノール類、Ｎ−（フロロジクロロメチルチオ）−フタルイミドおよびＮ，Ｎ−ジメチル−Ｎ′−フェニル−Ｎ′−（フロロジクロロメチルチオ）−スルファミドなどのハロアルキル類、その他の有機系抗菌剤などがある。
【００６５】
また、上記無機系抗菌剤の場合、抗菌剤を、例えば炭酸カルシウム、ゼオライト、カオリンクレー、珪藻土、タルク、ベンナイト、セラミックス、活性炭、アパタイトなどに担持させた無機系抗菌剤を採用することもできる。セラミックス、活性炭、アパタイトなどに担持させた無機系抗菌剤は抗菌性が高く、非揮発性であり、樹脂と混練し易いなどのメリットがある。さらに、無機系抗菌剤を担持した水溶解性ガラス等のように、水に溶けることによって殺菌効果のある抗菌剤が溶出する粒状又はペレット状のものなどがある。
【図面の簡単な説明】
【００６６】
【図１】本願発明の第１の実施の形態にかかるドレンアップキットの縦断面図である。
【図２】本願発明の第１の実施の形態にかかるドレンアップキットの平面図である。
【図３】抗菌剤をドレン収容部の反吸込口側（即ち、反排水側）に設置した場合における静止ドレン中のの抗菌剤の溶出特性を示す特性図である。
【図４】抗菌剤をドレン収容部の反吸込口側（即ち、排水側）に設置した場合における流水ドレン中の抗菌剤の溶出特性を示す特性図である。
【図５】抗菌剤をドレン収容部の吸込口側（即ち、排水側）に設置した場合における静止ドレン中の抗菌剤の溶出特性を示す特性図である。
【図６】抗菌剤をドレン収容部の吸込口側（即ち、排水側）に設置した場合における流水ドレン中の抗菌剤の溶出特性を示す特性図である。
【図７】抗菌剤をドレン収容部の反吸込口側（即ち、反排水側）と吸込口側（即ち、排水側）との中間位置に設置した場合における静止ドレン中の抗菌剤の溶出特性を示す特性図である。
【図８】抗菌剤をドレン収容部の反吸込口側（即ち、反排水側）と吸込口側（即ち、排水側）との中間位置に設置した場合における流水ドレン中の抗菌剤の溶出特性を示す特性図である。
【図９】抗菌剤の設置位置より最も離れる位置で必要抗菌剤最低濃度を確保した場合の抗菌剤の設置位置と必要抗菌剤量との関係を、静止ドレン中と流水ドレン中において調べた結果を示す特性図である。
【図１０】本願発明の第１の実施の形態にかかるドレンアップキットにおけるドレン収容部において使用される抗菌剤の使用形態例Ｉを示すものであり、（イ）は正面図、（ロ）は内部拡大図である。
【図１１】本願発明の第１の実施の形態にかかるドレンアップキットにおけるドレン収容部において使用される抗菌剤の使用形態例Ｉを示すものであり、（イ）は平面図、（ロ）は内部拡大図である。
【図１２】本願発明の第１の実施の形態にかかるドレンアップキットにおけるドレン収容部において使用される抗菌剤の使用形態例ＩＩを示すものであり、（イ）は正面図、（ロ）は内部拡大図である。
【図１３】本願発明の第１の実施の形態にかかるドレンアップキットにおけるドレン収容部において使用される抗菌剤の使用形態例ＩＩを示すものであり、（イ）は平面図、（ロ）は内部拡大図、（ハ）は変形例を示す内部拡大図である。
【図１４】本願発明の第１の実施の形態にかかるドレンアップキットにおけるドレン収容部において使用される抗菌剤の使用形態例ＩＩＩを示すものであり、（イ）は正面図、（ロ）は内部拡大図である。
【図１５】本願発明の第１の実施の形態にかかるドレンアップキットにおけるドレン収容部において使用される抗菌剤の使用形態例ＩＩＩを示すものであり、（イ）は平面図、（ロ）は内部拡大図である。
【図１６】本願発明の第２の実施の形態にかかるドレンアップキットの初期状態を示す縦断面図である。
【図１７】本願発明の第２の実施の形態にかかるドレンアップキットの所定期間経過後の状態を示す要部断面図である。
【図１８】本願発明の第２の実施の形態にかかるドレンアップキットにおける抗菌剤の設置構造における抗菌作用の問題点を示す特性図である。
【図１９】従来の構造設置構造例を示す要部断面図である。
【図２０】本願発明の第２の実施の形態にかかるドレンアップキットにおける抗菌剤の設置構造における抗菌作用を示す特性図である。
【図２１】一般のドレンアップキットの使用例を示す斜視図である。
【符号の説明】
【００６７】
１はドレン収容部
１ａは上面
２はポンプ装置
８は吸込口
１４は抗菌剤
１５は保持容器
１６は開孔部
１７保持材
Ｄはドレン
Ｌｍａｘは最大水位
Ｋは抗菌剤ユニット
Ｘは室内機
Ｙはドレン配管
【図１】
2006162222.tif 000003
【図２】
2006162222.tif 000004
【図３】
2006162222.tif 000005
【図４】
2006162222.tif 000006
【図５】
2006162222.tif 000007
【図６】
2006162222.tif 000008
【図７】
2006162222.tif 000009
【図８】
2006162222.tif 000010
【図９】
2006162222.tif 000011
【図１０】
2006162222.tif 000012
【図１１】
2006162222.tif 000013
【図１２】
2006162222.tif 000014
【図１３】
2006162222.tif 000015
【図１４】
2006162222.tif 000016
【図１５】
2006162222.tif 000017
【図１６】
2006162222.tif 000018
【図１７】
2006162222.tif 000019
【図１８】
2006162222.tif 000020
【図１９】
2006162222.tif 000021
【図２０】
2006162222.tif 000022
【図２１】
2006162222.tif 000023